【手続補正書】
【提出日】平成24年4月10日(2012.4.10)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報を可変表示する可変表示部を有する表示手段を備え、前記可変表示部における識別情報の表示結果があらかじめ定められた特定表示結果となったときに、遊技者にとって有利な特定遊技状態に制御する遊技機であって、
前記特定表示結果とするか否かを、識別情報の表示結果が導出表示される以前に決定する事前決定手段と、
識別情報の可変表示を開始した後、識別情報の可変表示中に、前記表示手段において遊技者に認識しがたい態様で所定の予告画像を表示する副予告演出を実行する副予告演出実行手段と、
前記副予告演出より後に実行される予告演出であって、前記副予告演出と比較して遊技者に認識しやすい態様の主予告演出を実行するか否かを決定する主予告演出決定手段と、
前記主予告演出決定手段によって前記主予告演出を実行すると決定されたことにもとづいて、前記主予告演出を実行する主予告演出実行手段と、
識別情報の可変表示が開始されてから表示結果が導出表示されるまでに一旦非特定表示結果となる識別情報を仮停止させた後に識別情報の可変表示を再度実行する再可変表示演出を所定回実行する再可変表示演出実行手段と、
前記副予告演出実行手段が実行する前記副予告演出で表示する予告画像を、第１副予告画像と該第１副予告画像とは異なる第２副予告画像とを含む複数種類の予告画像の中から決定する副予告画像決定手段とを備え、
前記副予告演出実行手段により前記副予告演出が実行される頻度は、前記主予告演出実行手段により前記主予告演出が実行される頻度よりも高く、
前記副予告画像決定手段は、
前記事前決定手段によって前記特定表示結果とすることに決定されているときには、前記事前決定手段によって前記特定表示結果としないことに決定されているときと比較して、前記副予告演出実行手段が実行する前記副予告演出で表示する予告画像として前記第１副予告画像を高い割合で決定し、
前記再可変表示演出実行手段によって前記再可変表示演出が実行されるときには、前記再可変表示演出実行手段によって前記再可変表示演出が実行されないときと比較して、前記副予告演出実行手段が実行する前記副予告演出で表示する予告画像として前記第２副予告画像を高い割合で決定し、
前記副予告演出実行手段が実行する前記副予告演出で表示する予告画像として、前記第１副予告画像と前記第２副予告画像との両方を決定可能であり、
前記副予告演出実行手段は、
前記副予告画像決定手段によって前記第１副予告画像が決定された場合には、前記表示手段における前記第１副予告画像に対応づけられた第１表示位置で前記第１副予告画像を表示することにより前記副予告演出を実行し、
前記副予告画像決定手段によって前記第２副予告画像が決定された場合には、前記表示手段における前記第１表示位置とは異なる前記第２副予告画像に対応づけられた第２表示位置で前記第２副予告画像を表示することにより前記副予告演出を実行し、
前記副予告画像決定手段によって決定された前記第１副予告画像と前記第２副予告画像とを前記第１表示位置と前記第２表示位置とに同時に表示して前記副予告演出を実行可能であり、
識別情報の可変表示中の複数の再可変表示演出において前記副予告演出を実行可能であり、
前記副予告画像決定手段は、
前記副予告演出で表示する予告画像として前記第１副予告画像を決定するときに、複数種類の表示態様の中から前記第１副予告画像の表示態様を決定し、
前記事前決定手段によって前記特定表示結果とすることに決定されているか否かに応じて、異なる割合で前記複数種類の表示態様のうちのいずれかの表示態様を決定する
ことを特徴とする遊技機。
【手続補正２】
【補正対象書類名】明細書
【補正対象項目名】００１１
【補正方法】変更
【補正の内容】
【００１１】
本発明による遊技機は、各々を識別可能な複数種類の識別情報（例えば、演出図柄）を可変表示する可変表示部（例えば、演出表示装置９の表示画面の左中右９Ｌ，９Ｃ，９Ｒの演出図柄を表示する領域）を有する表示手段（例えば、演出表示装置９）を備え、可変表示部における識別情報の表示結果があらかじめ定められた特定表示結果（例えば、大当り図柄）となったときに、遊技者にとって有利な特定遊技状態（例えば、大当り遊技状態）に制御する遊技機であって、特定表示結果とするか否かを、識別情報の表示結果が導出表示される以前に決定する事前決定手段（例えば、遊技制御用マイクロコンピュータ５６０におけるステップＳ６１を実行する部分）と、識別情報の可変表示を開始した後、識別情報の可変表示中に、表示手段において遊技者に認識しがたい態様で所定の予告画像（例えば、ミニキャラ）を表示する副予告演出（例えば、ミニキャラ予告演出）を実行する副予告演出実行手段（例えば、演出制御用マイクロコンピュータ１００におけるステップＳ５８５のミニキャラ予告決定処理の決定結果にもとづいてステップＳ８４５でミニキャラ予告演出を実行する部分）と、副予告演出より後に実行される予告演出であって、副予告演出と比較して遊技者に認識しやすい態様の主予告演出（例えば、第２ステップアップ予告演出）を実行するか否かを決定する主予告演出決定手段（例えば、演出制御用マイクロコンピュータ１００におけるステップＳ５７０，Ｓ５７３，Ｓ５７６，Ｓ５７９，Ｓ５８１を実行する部分）と、主予告演出決定手段によって主予告演出を実行すると決定されたことにもとづいて、主予告演出を実行する主予告演出実行手段（例えば、演出制御用マイクロコンピュータ１００におけるステップＳ５７０，Ｓ５７３，Ｓ５７６，Ｓ５７９，Ｓ５８１の決定結果にもとづいてステップＳ８４５で第２ステップアップ予告演出を実行する部分）と、識別情報の可変表示が開始されてから表示結果が導出表示されるまでに一旦非特定表示結果（例えば、擬似連チャンス目図柄ＧＣ１〜ＧＣ８）となる識別情報を仮停止させた後に識別情報の可変表示を再度実行する再可変表示演出（例えば、擬似連）を所定回実行する再可変表示演出実行手段（例えば、演出制御用マイクロコンピュータ１００における擬似連を含む変動パターンに従ってステップＳ８４５で擬似連を含む演出図柄の変動表示を実行する部分）と、副予告演出実行手段が実行する副予告演出で表示する予告画像を、第１副予告画像（例えば、図７９に示すミニキャラとしての「雲」および「雷」の画像。図７９に示す看板の中にミニキャラとして表示する「激アツ」や「ＨＯＴ」の文字の画像）と該第１副予告画像とは異なる第２副予告画像（例えば、図７９に示すミニキャラとしての「カエル」や「カニ」の画像）とを含む複数種類の予告画像の中から決定する副予告画像決定手段（例えば、演出制御用マイクロコンピュータ１００におけるステップＳ８５０１〜Ｓ８５０４，Ｓ８５１０〜Ｓ８５１７を実行する部分）とを備え、副予告演出実行手段により副予告演出が実行される頻度は、主予告演出実行手段により主予告演出が実行される頻度よりも高く、副予告画像決定手段は、事前決定手段によって特定表示結果とすることに決定されているときには、事前決定手段によって特定表示結果としないことに決定されているときと比較して、副予告演出実行手段が実行する副予告演出で表示する予告画像として第１副予告画像を高い割合で決定し（例えば、演出制御用マイクロコンピュータ１００は、ステップＳ８５０１でＹのときステップＳ８５０２で大当り用の空ミニキャラ予告設定テーブルを選択してステップＳ８５０４で「雲」および「雷」のミニキャラ画像を高い割合で決定する。ステップＳ８５１０でＹのときステップＳ８５１１で大当り用の看板ミニキャラ予告設定テーブルを選択してステップＳ８５１３で看板の中に「激アツ」や「ＨＯＴ」の文字を表示するミニキャラ画像を高い割合で決定する。）、再可変表示演出実行手段によって再可変表示演出が実行されるときには、再可変表示演出実行手段によって再可変表示演出が実行されないときと比較して、副予告演出実行手段が実行する副予告演出で表示する予告画像として第２副予告画像を高い割合で決定し（例えば、演出制御用マイクロコンピュータ１００は、ステップＳ８５１４でＹのときステップＳ８５１５で擬似連有用の擬似連ミニキャラ予告設定テーブルを選択してステップＳ８５１７で「カエル」や「カニ」のミニキャラ画像を高い割合で決定する）、副予告演出実行手段が実行する副予告演出で表示する予告画像として、第１副予告画像と第２副予告画像との両方を決定可能であり、副予告演出実行手段は、副予告画像決定手段によって第１副予告画像が決定された場合には、表示手段における第１副予告画像に対応づけられた第１表示位置で第１副予告画像を表示することにより副予告演出を実行し、副予告画像決定手段によって第２副予告画像が決定された場合には、表示手段における第１表示位置とは異なる第２副予告画像に対応づけられた第２表示位置で第２副予告画像を表示することにより副予告演出を実行し、副予告画像決定手段によって決定された第１副予告画像と第２副予告画像とを第１表示位置と第２表示位置とに同時に表示して副予告演出を実行可能であり、識別情報の可変表示中の複数の再可変表示演出において副予告演出を実行可能であり、副予告画像決定手段は、副予告演出で表示する予告画像として第１副予告画像を決定するときに、複数種類の表示態様の中から第１副予告画像の表示態様を決定し、事前決定手段によって特定表示結果とすることに決定されているか否かに応じて、異なる割合で複数種類の表示態様のうちのいずれかの表示態様を決定することを特徴とする。
【手続補正３】
【補正対象書類名】明細書
【補正対象項目名】００１２
【補正方法】変更
【補正の内容】
【００１２】
請求項１に記載された遊技機では、識別情報の可変表示を開始した後、識別情報の可変表示中に、表示手段において遊技者に認識しがたい態様で所定の予告画像を表示する副予告演出を実行する副予告演出実行手段と、副予告演出より後に実行される予告演出であって、副予告演出と比較して遊技者に認識しやすい態様の主予告演出を実行するか否かを決定する主予告演出決定手段と、主予告演出決定手段によって主予告演出を実行すると決定されたことにもとづいて、主予告演出を実行する主予告演出実行手段と、識別情報の可変表示が開始されてから表示結果が導出表示されるまでに一旦非特定表示結果となる識別情報を仮停止させた後に識別情報の可変表示を再度実行する再可変表示演出を所定回実行する再可変表示演出実行手段とを備え、副予告画像決定手段が、事前決定手段によって特定表示結果とすることに決定されているときには、事前決定手段によって特定表示結果としないことに決定されているときと比較して、副予告演出実行手段が実行する副予告演出で表示する予告画像として第１副予告画像を高い割合で決定し、再可変表示演出実行手段によって再可変表示演出が実行されるときには、再可変表示演出実行手段によって再可変表示演出が実行されないときと比較して、副予告演出実行手段が実行する副予告演出で表示する予告画像として第２副予告画像を高い割合で決定するように構成されているので、遊技者に認識しがたい態様で副予告演出を実行することに加えて再変動演出が実行されるか否かの予告も実行することができ、予告演出をより複雑化することができる。そのため、遊技に熟練していなければ各予告演出の対応関係を認識しにくくすることができる。よって、熟練した遊技者に対して新たな遊技への興趣を与えるとともに優越感を与えることができ、遊技機の稼働率を向上させることができる。一方、遊技者に認識しやすい態様の主予告演出も実行するので、熟練度が低い遊技者の興趣が低下してしまう事態も防止することができる。また、副予告画像決定手段が、副予告演出実行手段が実行する副予告演出で表示する予告画像として、第１副予告画像と第２副予告画像との両方を決定可能であり、副予告演出実行手段が、副予告画像決定手段によって決定された第１副予告画像と第２副予告画像とを第１表示位置と第２表示位置とに同時に表示して副予告演出を実行可能であるように構成されているので、第１副予告画像を表示する副予告演出と第２副予告画像を表示する副予告演出とを同時に実行することができる。従って、副予告演出の実行頻度を高めることができる。